(57)【要約】      （修正有）【課題】簡単に封をすることができる紙袋を提供する。【解決手段】手提げ又は肩掛けすることが可能な紙袋であって、前記紙袋の袋部分であり、第１側面部２１０、第２側面部２２０、第３側面部、第４側面部２４０及び底面部を有する袋本体部２００と、袋本体部２００の開口側の先端部分に取り付けられ、第１側面部側に取り付けられる第１先端部材３１０と、第２側面部側に取り付けられる第２先端部材３２０とを有する先端部材３００と、袋本体部２００及び先端部材３００に取り付けられる持ち手部材４００と、第１側面部２１０と第１先端部材３１０との間に取り付けられる接続部と、第２側面部２２０と第２先端部材３２０との間に挿入される挿入部５２０と、接続部と挿入部５２０との中間部分である中間部５３０と、を有する取付部材５００と、を含む紙袋１００。【選択図】図１
2020117295.tif 000002
【特許請求の範囲】
【請求項１】
手提げ又は肩掛けすることが可能な紙袋であって、
前記紙袋の袋部分であり、第１側面部、第２側面部、第３側面部、第４側面部及び底面部を有する袋本体部と、
前記袋本体部の開口側の先端部分に取り付けられ、前記第１側面部側に取り付けられる第１先端部材と、前記第２側面部側に取り付けられる第２先端部材とを有する先端部材と、
前記袋本体部及び前記先端部材に取り付けられる持ち手部材と、
前記第１側面部と前記第１先端部材との間に取り付けられる接続部と、前記第２側面部と前記第２先端部材との間に挿入される挿入部と、前記接続部と前記挿入部との中間部分である中間部と、を有する取付部材と、を含む紙袋。
【請求項２】
前記持ち手部材は、前記第１側面部及び前記第１先端部材に取り付けられ、第１端部及び第２端部を有する第１持ち手部材と、
前記第２側面部及び前記第２先端部材に取り付けられ、第３端部及び第４端部を有する第２持ち手部材と、を含み、
前記取付部材の前記接続部が、前記第１側面部と前記第１先端部材との間に取り付けられ、かつ、前記第１端部と前記第２端部との間に取り付けられ、
前記挿入部が、前記第２側面部と前記第２先端部材との間に挿入され、かつ、前記第３端部と前記第４端部との間に挿入される請求項１記載の紙袋。
【請求項３】
前記持ち手部材は、前記第１側面部及び前記第１先端部材に取り付けられ、第１端部及び第２端部を有する第１持ち手部材と、
前記第２側面部及び前記第２先端部材に取り付けられ、第３端部及び第４端部を有する第２持ち手部材と、を含み、
前記取付部材の前記接続部が、前記第１側面部と前記第１先端部材との間に取り付けられ、かつ、前記第１端部と前記第２端部との間以外に取り付けられ、
前記挿入部が、前記第２側面部と前記第２先端部材との間に挿入され、かつ、前記第１端部と前記第２端部との間以外に挿入される請求項１記載の紙袋。
【請求項４】
前記取付部材が複数取り付けられている請求項１乃至３のいずれかに記載の紙袋。
【請求項５】
前記挿入部の中央部分が両端部分より長さが短い請求項１乃至４のいずれかに記載の紙袋。
【発明の詳細な説明】
【技術分野】
【０００１】
本発明は、紙袋に関する。
【背景技術】
【０００２】
一般的に紙袋の開口部分を閉じたい場合、テープによって開口部分が閉じられている。
【０００３】
また、開口部分が閉じられる紙袋であり、持ち手部分がプラスチックになっており、その持ち手と一体となっている留め具を用いて、紙袋の開口部が閉じられる紙袋がある。
【０００４】
一方、特許文献１には、シールや布ファスナー等の接着媒体によって蓋を封止する内容が開示されている。
【先行技術文献】
【特許文献】
【０００５】
【特許文献１】特開平７−２８５５８７号公報
【発明の概要】
【発明が解決しようとする課題】
【０００６】
しかしながら、一端、テープによって紙袋の開口部が閉じられると、再度利用者が開口部を開口しようとする場合、テープを破く又は切る必要がある。
【０００７】
したがって、この場合、利用者は複数回紙袋の開口部を開閉することができず、利用者は紙袋の開口部を再度閉じる場合、再度テープによって閉じる必要がある。また、特許文献１に記載された内容のように、紙袋に蓋が設けられており、その蓋をシールによって接着する場合も同様である。
【０００８】
また、面ファスナー等によって開口部を閉じる場合、利用者は複数回紙袋の開口部を開閉することができるが、製造時において、紙袋に面ファスナーを取り付ける作業が必要になり、コストがかかるという問題がある。
【０００９】
また、面ファスナーが紙袋に取り付けられた場合、利用者が面ファスナーを剥がして紙袋の開口部を開ける場合、面ファスナー同士の接着力が強く、紙袋と面ファスナーの接着部分が破ける可能性がある。
【００１０】
一方、紙袋の持ち手部分がプラスチックで構成されている紙袋の場合、廃棄する場合に持ち手部分と紙袋本体とを分解して廃棄しなければならない場合がある。
【００１１】
また、紙袋の持ち手部分がプラスチックの場合、高級感が損なわれるという問題がある。
【００１２】
また、紙袋の持ち手部分がプラスチックで、その持ち手部分同士を取り付けることができる紙袋の場合、紙袋の開閉が煩わしいという問題がある。
【００１３】
本発明の目的は、簡単に封をすることができる紙袋を提供することである。
【００１４】
本発明の他の目的は、封の着脱が容易な紙袋を提供することである。
【課題を解決するための手段】
【００１５】
本発明の第１の局面に係る紙袋は、手提げ又は肩掛けすることが可能な紙袋であって、
前記紙袋の袋部分であり、第１側面部、第２側面部、第３側面部、第４側面部及び底面部を有する袋本体部と、
前記袋本体部の開口側の先端部分に取り付けられ、前記第１側面部側に取り付けられる第１先端部材と、前記第２側面部側に取り付けられる第２先端部材とを有する先端部材と、
前記袋本体部及び前記先端部材に取り付けられる持ち手部材と、
前記第１側面部と前記第１先端部材との間に取り付けられる接続部と、前記第２側面部と前記第２先端部材との間に挿入される挿入部と、前記接続部と前記挿入部との中間部分である中間部と、を有する取付部材と、を含む紙袋である。
【００１６】
取付部材の挿入部が第２側面部と第２先端部材との間に挿入されることにより、容易に紙袋の開口部の少なくとも一部を閉じることができる（封をすることができる）。
【００１７】
これにより、紙袋内部（袋本体部内部）から内容物がこぼれ難くなる。
【００１８】
また、取付部材によって第１先端部材（第１側面部）と第２先端部材（第２側面部）とを接続することができ、袋本体部の開口部分が広がり難くなる。
【００１９】
そのため、紙袋の利用者は、袋本体部の開口部分が広がり難いため、持ち手部分が持ちやすいという利点がある。
【００２０】
また、取付部材の挿入部は、第２側面部と第２先端部材との間に挿入するだけであるため、容易に取付部材を着脱することができる（封の着脱が容易である）。
【００２１】
なお、「紙袋」は、材質が紙に限定されず、コーティングされている紙が使用されている紙袋、プラスチックで構成される袋も含む概念である。
【００２２】
また、「持ち手部材」とは、利用者が手で持つ部材だけでなく、利用者が肩掛けする部材も含む概念である。
【００２３】
また、「先端部材」とは、紙袋の開口部側（先端側）に配置されていればよく、袋本体部の端部に配置されていなくてもよい。
【００２４】
本発明の第２の局面に係る紙袋は、第１の局面に係る紙袋であって、前記持ち手部材は、前記第１側面部及び前記第１先端部材に取り付けられ、第１端部及び第２端部を有する第１持ち手部材と、
前記第２側面部及び前記第２先端部材に取り付けられ、第３端部及び第４端部を有する第２持ち手部材と、を含み、
前記取付部材の前記接続部が、前記第１側面部と前記第１先端部材との間に取り付けられ、かつ、前記第１端部と前記第２端部との間に取り付けられ、
前記挿入部が、前記第２側面部と前記第２先端部材との間に挿入され、かつ、前記第３端部と前記第４端部との間に挿入される紙袋である。
【００２５】
取付部材の接続部が持ち手部材（第１持ち手部材）の第１端部と第２端部との間に取り付けられていることにより、紙袋の開口部の中央部分を覆うように、第１先端部材（第１側面部）と第２先端部材（第２側面部）とを接続することができる。
【００２６】
取付部材で紙袋の開口部の中央部分を覆うことにより、紙袋内部（袋本体部内部）から内容物がこぼれ難くなる。
【００２７】
本発明の第３の局面に係る紙袋は、第１の局面に係る紙袋であって、前記持ち手部材は、前記第１側面部及び前記第１先端部材に取り付けられ、第１端部及び第２端部を有する第１持ち手部材と、
前記第２側面部及び前記第２先端部材に取り付けられ、第３端部及び第４端部を有する第２持ち手部材と、を含み、
前記取付部材の前記接続部が、前記第１側面部と前記第１先端部材との間に取り付けられ、かつ、前記第１端部と前記第２端部との間以外に取り付けられ、
前記挿入部が、前記第２側面部と前記第２先端部材との間に挿入され、かつ、前記第１端部と前記第２端部との間以外に挿入される紙袋である。
【００２８】
取付部材の接続部が持ち手部材（第１持ち手部材）の第１端部と第２端部との間以外に取り付けられていてもよい。
【００２９】
この場合であっても、紙袋内部（袋本体部内部）から内容物がこぼれ難くなる。
【００３０】
本発明の第４の局面に係る紙袋は、第１の局面、第２の局面又は第３の局面に係る紙袋であって、前記取付部材が複数取り付けられている紙袋である。
【００３１】
取付部材は複数取り付けられていてもよい。取付部材が複数取り付けられていることにより、内容物がよりこぼれ難くなる。
【００３２】
本発明の第５の局面に係る紙袋は、第１の局面乃至第４の局面に係る紙袋であって、前記挿入部の中央部分が両端部分より長さが短い紙袋である。
【００３３】
挿入部の中央部分の長さが両端部分より短いことにより、利用者は指を挿入部に引っ掛け安くなる。そのため、取付部材の着脱が容易となる。
【図面の簡単な説明】
【００３４】
【図１】本発明に係る一実施形態における紙袋の部分斜視図。
【図２】同実施形態における紙袋の正面図。
【図３】同実施形態における紙袋の側面図。
【図４】同実施形態における紙袋の部分斜視図。
【図５】同実施形態における紙袋の部分斜視図。
【図６】同実施形態における紙袋のＡ−Ａ部分断面図。
【図７】同実施形態における紙袋のＡ−Ａ部分断面図。
【図８】本発明に係る一実施形態における紙袋の部分斜視図。
【図９】本発明に係る一実施形態における紙袋の部分斜視図。
【発明を実施するための形態】
【００３５】
以下、本発明の実施形態に関して図面を参照しながら説明する。本発明の実施形態は、紙袋１００を用いて説明する。
【００３６】
＜第１実施形態＞
図１乃至図７に示すように、紙袋１００は、袋本体部２００と、
袋本体部１１０の先端に配置される先端部材３００と、
先端部材３００に取り付けられる持ち手部材４００と、を含む。
【００３７】
袋本体部２００は、ｚ軸正方向側が開口される開口部であり、ｚ軸負方向側が閉じられた底面部である袋状の形状である。
【００３８】
袋本体部２００は、本実施形態では紙で構成されており、ｘｚ平面視略長方形である。
【００３９】
具体的には、袋本体部２００は、ｙ軸負方向側に配置される第１側面部２１０と、
ｙ軸正方向側に配置される第２側面部２２０と、
ｘ軸負方向側に配置される第３側面部２３０と、
ｘ軸正方向側に配置される第４側面部２４０と、
ｚ軸負方向側に配置される底面部２５０と、から構成される。
【００４０】
なお、袋本体部２００の材質や形状は限定されず、例えば紙以外の材質であってもよく、形状もｘｚ平面視正方形等であってもよい。
【００４１】
袋本体部２００及び先端部材３００の材質が紙であり、持ち手部材４００の材質が紙又は紐の場合、紙袋１００は、環境に悪影響を及ぼし難く、リサイクルも可能である。
【００４２】
また、袋本体部２００は、様々な紙であってもよく、例えばコーティングされている紙等であってもよい。
【００４３】
先端部材３００は、袋本体部２００のｚ軸正方向側の先端に配置されている。先端部材３００は、袋本体部２００の第１側面部２１０に配置される第１先端部材３１０と、
袋本体部２００の第２側面部２２０に配置される第２先端部材３２０と、を含む。
【００４４】
第１先端部材３１０は、第１側面部２１０のｚ軸正方向側の端部で折り返して、ｙ軸方向両側に配置される。
【００４５】
第１先端部材３１０は、ｘ軸方向の両端で第１側面部２１０と接続されている。
【００４６】
同様に、第２先端部材３２０は、第２側面部２２０のｚ軸正方向側の端部で折り返して、ｙ軸方向両側に配置される。
【００４７】
第２先端部材３２０は、ｘ軸方向の両端で第２側面部２２０と接続されている。
【００４８】
第１先端部材３１０は、持ち手部材４００を通すための貫通孔である第１貫通孔３１１及び第２貫通孔３１２が設けられている。
【００４９】
第１貫通孔３１１は、第２貫通孔３１２よりｘ軸負方向側に配置されている。
【００５０】
第２先端部材３２０は、持ち手部材４００を通すための貫通孔である第３貫通孔３２１及び第４貫通孔３２２が設けられている。
【００５１】
第３貫通孔３２１は、第４貫通孔３２２よりｘ軸負方向側に配置されている。
【００５２】
第１先端部材３１０には、取付部材５００が取り付けられている。本実施形態では、取付部材５００は、第１先端部材３１０と袋本体部２００の第１側面部２１０との間に取り付けられている。
【００５３】
また、本実施形態では、第１貫通孔３１１と第２貫通孔３１２との間に取付部材５００が取り付けられている。取付部材５００については後述する。
【００５４】
持ち手部材４００は、本実施形態では紐が用いられているが、どのような材質のものであってもよい。例えば、持ち手部材４００は、紙であってもよく、また、プラスチックであってもよい。
【００５５】
持ち手部材４００は、第１側面部２１０のｙ軸負方向側に配置される第１持ち手部材４１０と、
第２側面部２２０のｙ軸正方向側に配置される第２持ち手部材４２０と、を含む。
【００５６】
つまり、第１持ち手部材４１０は、第１先端部材３１０側に取り付けられ、第２持ち手部材４２０は、第２先端部材３２０側に取り付けられる。
【００５７】
第１持ち手部材４１０は、ｘ軸負方向側に配置される第１端部４１１と、
ｘ軸正方向側に配置される第２端部４１２と、を含む。
【００５８】
第１端部４１１は、袋本体部２００の第１側面部２１０の外側（ｙ軸負方向側）から第１貫通孔３１１に通される。
【００５９】
第１側面部２１０には、第１貫通孔３１１と略同一の位置に貫通孔が設けられており（図示しない）、第１端部４１１は、第１側面部２１０の内側（ｙ軸正方向側）に通され、結ばれる。
【００６０】
同様に、第２端部４１２は、袋本体部２００の第１側面部２１０の外側（ｙ軸負方向側）から第２貫通孔３１２に通される。
【００６１】
第１側面部２１０には、第２貫通孔３１２と略同一の位置に貫通孔が設けられており（図示しない）、第２端部４１２は、第１側面部２１０の内側（ｙ軸正方向側）に通され、結ばれる。
【００６２】
第２持ち手部材４２０は、ｘ軸負方向側に配置される第３端部４２１と、
ｘ軸正方向側に配置される第４端部４２２と、を含む。
【００６３】
第３端部４２１は、袋本体部２００の第２側面部２２０の外側（ｙ軸正方向側）から第３貫通孔３２１に通される。
【００６４】
第２側面部２２０には、第３貫通孔３２１と略同一の位置に貫通孔が設けられており（図示しない）、第３端部４２１は、第２側面部２２０の内側（ｙ軸負方向側）に通され、結ばれる。
【００６５】
同様に、第４端部４２２は、袋本体部２００の第２側面部２２０の外側（ｙ軸正方向側）から第４貫通孔３２２に通される。
【００６６】
第２側面部２２０には、第４貫通孔３２２と略同一の位置に貫通孔が設けられており（図示しない）、第４端部４２２は、第２側面部２２０の内側（ｙ軸負方向側）に通され、結ばれる。
【００６７】
（取付部材５００）
取付部材５００は、第１先端部材３１０と第１側面部２１０との間に取り付けられる。
【００６８】
取付部材５００は、第１先端部材３１０と第１側面部２１０との間に接続される接続部５１０と、
第２先端部材３２０と第２側面部２２０との間に挿入する挿入部５２０と、
接続部５１０と挿入部５２０との間に配置される中間部５３０と、を含む。
【００６９】
接続部５１０は、本実施形態では、第１先端部材３１０に接続されており、第１先端部材３１０と第１側面部２１０との間に配置されている。
【００７０】
なお、本実施形態では、接続部５１０は、第１先端部材３１０の内側（ｙ軸正方向側）に取り付けられているが、第１側面部２１０側（ｙ軸負方向側）に取り付けられていてもよい。
【００７１】
挿入部５２０は、第２先端部材３２０と第２側面部２２０との間に挿入可能とするところである。図６の矢印Ｂに示すように、挿入部５２０を第２先端部材３２０と第２側面部２２０との間に挿入又は引っ張り出す。
【００７２】
挿入部５２０は、ｘ軸方向略中央部が略放物線形状にカットされており、利用者が、第２先端部材３２０と第２側面部２２０との間に指を入れたときに引掛けやすくなっている。つまり、利用者が挿入部５２０を引っ張り出し易くなっている。
【００７３】
つまり、挿入部５２０は、ｘ軸方向略中央部が、挿入部５２０の両端部分より長さが短くなっている。
【００７４】
図６及び図７に示すように、中間部５３０は、接続部５１０と挿入部５２０との間の部分である。中間部５３０は、接続部５１０との境目で折れ曲がり、挿入部５２０との境目でも折れ曲がる構成である。
【００７５】
また、中間部５３０は、第１先端部材３１０のｚ軸正方向側の端部及び第２先端部材３２０のｚ軸正方向側の端部で折れ曲がる構成となっている。
【００７６】
＜第２実施形態＞
第２実施形態は、取付部材が２つ設けられている構成である。第２実施形態については、第１実施形態と同様の構成については、説明を省略又は簡略して説明する。
【００７７】
図８に示すように、第２実施形態では、紙袋１００は、取付部材である第１取付部材６００と、取付部材である第２取付部材７００と、を含む。
【００７８】
第１取付部材６００は、第２取付部材７００よりｘ軸負方向側に配置されている。
【００７９】
第１取付部材６００及び第２取付部材７００は、いずれも第１貫通孔３１１と第２貫通孔３１２との間に接続されている。
【００８０】
第１取付部材６００及び第２取付部材７００は、取付部材５００と同様の構成であるため、説明を省略する。
【００８１】
＜第３実施形態＞
第３実施形態は、取付部材が２つ設けられている構成である。第３実施形態については、第１実施形態及び第２実施形態と同様の構成については、説明を省略又は簡略して説明する。
【００８２】
図９に示すように、第３実施形態では、紙袋１００は、取付部材である第３取付部材８００と、取付部材である第４取付部材９００と、を含む。
【００８３】
第３取付部材８００は、第４取付部材９００よりｘ軸負方向側に配置されている。
【００８４】
第３取付部材８００は、第１貫通孔３１１よりｘ軸負方向側に接続されている。
【００８５】
第４取付部材９００は、第２貫通孔３１２よりｘ軸正方向側に接続されている。
【００８６】
第３取付部材８００及び第４取付部材９００は、取付部材５００と同様の構成であるため、説明を省略する。
【００８７】
なお、上記第１実施形態、第２実施形態及び第３実施形態は、それぞれ組み合わされた構成であってもよい。
【００８８】
本発明は、その趣旨を逸脱しない範囲で種々の改良、修正、又は変形を加えた態様でも実施できる。
【符号の説明】
【００８９】
１００…紙袋
２００…袋本体部
２１０…第１側面部
２２０…第２側面部
３００…先端部材
３１０…第１先端部材
３２０…第２先端部材
４００…持ち手部材
５００…取付部材
５１０…接続部
５２０…挿入部
６００…第１取付部材（取付部材）
７００…第２取付部材（取付部材）
８００…第３取付部材（取付部材）
９００…第４取付部材（取付部材）
【図１】
2020117295.tif 000003
【図２】
2020117295.tif 000004
【図３】
2020117295.tif 000005
【図４】
2020117295.tif 000006
【図５】
2020117295.tif 000007
【図６】
2020117295.tif 000008
【図７】
2020117295.tif 000009
【図８】
2020117295.tif 000010
【図９】
2020117295.tif 000011